(57)【要約】【課題】重さ調整作業の効率化を図り、スムーズかつ正確な昇降操作を可能とする昇降扉、箱体及び局所排気装置を提供する。【解決手段】線材支持部材に掛け回されるとともに、第１端部にメイン錘が接続された吊架線材の第２端部に接続され、線材支持部材に沿った吊架線材の走行によりスライド昇降可能に構成された昇降扉１３であって、扉本体８１と、扉本体８１に設けられ、昇降扉１３自体の重さを調整可能な重さ調整機構８３と、を備えている。【選択図】図５
2019042687.tif 000002
【特許請求の範囲】
【請求項１】
線材支持部材に掛け回されるとともに、第１端部にメイン錘が接続された吊架線材の第２端部に接続され、前記線材支持部材に沿った前記吊架線材の走行によりスライド昇降可能に構成された昇降扉であって、
扉本体と、
前記扉本体に設けられ、当該昇降扉自体の重さを調整可能な重さ調整機構と、を備えている昇降扉。
【請求項２】
前記重さ調整機構は、調整錘を収容可能な錘収容部を備えている請求項１に記載の昇降扉。
【請求項３】
前記重さ調整機構は、前記扉本体の上端部に装着された上部カバーを備え、
前記錘収容部は、前記上部カバーに設けられている請求項２に記載の昇降扉。
【請求項４】
上下方向に交差する方向のうち、前記上部カバーの延在方向に沿う方向を左右方向とすると、
前記錘収容部は、前記上部カバーにおける前記左右方向の少なくとも第１端部において、前記左右方向の外側に向けて開口している請求項３に記載の昇降扉。
【請求項５】
前記重さ調整機構は、前記調整錘が着脱可能に取り付けられる端部部材を備え、
前記端部部材は、前記調整錘を前記錘収容部に進入させた状態で前記上部カバーに装着されている請求項３又は請求項４に記載の昇降扉。
【請求項６】
前記扉本体は、スライド昇降可能にガイドレールに支持され、
前記重さ調整機構は、当該昇降扉が少なくとも最上端位置にあるとき、前記ガイドレールよりも上方に突出する請求項１から請求項５の何れか１項に記載の昇降扉。
【請求項７】
請求項１から請求項６の何れか１項に記載の昇降扉と、
前記昇降扉とともに内部空間を画成するとともに、前記昇降扉のスライド昇降によって開閉可能な開口部を有する箱部と、を備えている箱体。
【請求項８】
前記メイン錘は、前記箱部を構成する支柱の内部、及び周壁部の内部の何れかに収納されている請求項７に記載の箱体。
【請求項９】
請求項７又は請求項８に記載の箱体を備えている局所排気装置。
【発明の詳細な説明】
【技術分野】
【０００１】
本発明は、昇降扉、箱体及び局所排気装置に関するものである。
【背景技術】
【０００２】
実験施設（例えば、研究所等）での理化学実験では、局所排気装置が用いられる場合がある。局所排気装置は、開口部を有する箱部と、箱部にスライド昇降可能に支持されて開口部を開閉する昇降扉と、を主に有している。
局所排気装置を使用する際は、昇降扉を所定量上昇させ、開口部の一部を開放させる。その後、箱部及び昇降扉により画成された作業空間に、開口部から手を差し入れる。これにより、作業空間での作業が可能になる。
【０００３】
上述した昇降扉は、線材支持部材（例えば、滑車等）に掛け回された吊架線材（例えば、ワイヤ等）の第１端部に接続されている。吊架線材の第２端部には、錘が接続されている。局所排気装置では、昇降扉と錘との釣り合いを取ることで、昇降扉のスムーズかつ正確な昇降操作を可能にしている。つまり、局所排気装置では、例えば昇降扉の重量ばらつき等によって昇降扉と錘との重量差が生じると、スムーズな昇降操作ができなくなったり、昇降扉を所望の位置で停止させることができなくなったりする可能性がある。
【０００４】
そこで、例えば下記特許文献１には、吊架線材の第２端部に、複数の錘を収容可能な錘ケースが接続された構成が開示されている。この構成によれば、錘ケース内の錘の個数を調整することで、錘全体の重さを調整できるとされている。
【先行技術文献】
【特許文献】
【０００５】
【特許文献１】特開２００９−２９１７５０号公報
【発明の概要】
【発明が解決しようとする課題】
【０００６】
しかしながら、上述した特許文献１に記載の構成では、錘ケースが箱部の骨格を構成する支柱内に収納されている。そのため、重さ調整作業を行うにあたって、錘ケースを取り出すには、支柱の上端部に設けられた線材支持部材や支柱キャップ等を取り外す必要がある。
しかも、錘ケースは、使用者から見て昇降扉よりも後方に配置されるのが一般的である。そのため、錘ケースにアクセスすること自体が難しい場合もある。
このように、従来の局所排気装置では、重さ調整作業の効率化を図る点で未だ改善の余地があった。
【０００７】
本発明は、上記事情に鑑みてなされたものであり、重さ調整作業の効率化を図り、スムーズかつ正確な昇降操作を可能とする昇降扉、箱体及び局所排気装置を提供することを目的とする。
【課題を解決するための手段】
【０００８】
上記目的を達成するために、本発明の一態様に係る昇降扉は、線材支持部材に掛け回されるとともに、第１端部にメイン錘が接続された吊架線材の第２端部に接続され、前記線材支持部材に沿った前記吊架線材の走行によりスライド昇降可能に構成された昇降扉であって、扉本体と、前記扉本体に設けられ、当該昇降扉自体の重さを調整可能な重さ調整機構と、を備えている。
【０００９】
本態様によれば、扉本体に設けられた重さ調整機構によって昇降扉自体の重さを調整することで、例えば支柱等に収納されたメイン錘の重さを調整する場合のように、支柱に設けられた線材支持部材や支柱キャップ等を取り外す必要がない。また、昇降扉はメイン錘よりも前方に配置されるのが一般的であるため、メイン錘の重さを調整する場合に比べて重さ調整機構へのアクセスが容易になる。
これにより、重さ調整作業の効率化を図ることができる。その結果、例えば扉本体の重量ばらつきに関わらず、昇降扉とメイン錘とのバランスを取ることができ、昇降扉のスムーズかつ正確な昇降操作が可能になる。
【００１０】
本発明の一態様に係る昇降扉において、前記重さ調整機構は、調整錘を収容可能な錘収容部を備えていてもよい。
この構成によれば、例えば重さの異なる調整錘の中から最適な調整錘を選択して、錘収容部に収容することで、昇降扉の重さ調整を行うことができる。これにより、重さ調整作業の更なる効率化を図ることができる。
【００１１】
本発明の一態様に係る昇降扉において、前記重さ調整機構は、前記扉本体の上端部に装着された上部カバーを備え、前記錘収容部は、前記上部カバーに設けられていてもよい。
この構成によれば、上部カバーによって調整錘を覆うことができるので、昇降扉の意匠性を向上させることができる。
しかも、扉本体の上方から上部カバーを装着する場合には、上部カバーが扉本体に下方から支持されることになる。これにより、昇降扉の昇降動作に伴う上部カバー及び調整錘の脱落を抑制できる。
【００１２】
本発明の一態様に係る昇降扉において、上下方向に交差する方向のうち、前記上部カバーの延在方向に沿う方向を左右方向とすると、前記錘収容部は、前記上部カバーにおける前記左右方向の少なくとも第１端部において、前記左右方向の外側に向けて開口していてもよい。
この構成によれば、錘収容部が例えば上部カバーの前部で開口している構成と異なり、昇降扉を前方から見たときに錘収容部の開口部が視認不能になる。そのため、意匠性を向上させることができる。
【００１３】
本発明の一態様に係る昇降扉において、前記重さ調整機構は、前記調整錘が着脱可能に取り付けられる端部部材を備え、前記端部部材は、前記調整錘を前記錘収容部に進入させた状態で前記上部カバーに装着されていてもよい。
この構成によれば、端部部材に調整錘を取り付けた状態で、端部部材を上部カバーに装着することができる。そのため、例えば上部カバーに対して調整錘及び端部部材を別々に装着する場合に比べて調整錘の装着作業が容易になる。
【００１４】
本発明の一態様に係る昇降扉において、前記扉本体は、スライド昇降可能にガイドレールに支持され、前記重さ調整機構は、当該昇降扉が少なくとも最上端位置にあるとき、前記ガイドレールよりも上方に突出してもよい。
この構成によれば、扉本体を最上端位置まで上昇させることで、重さ調整作業を行うことができる。これにより、重さ調整作業を行うにあたって調整錘の周辺部材（例えば、線材支持部材や支柱キャップ等）を取り外す等の作業が必要ないので、重さ調整作業の効率化を図ることができる。
【００１５】
本発明の一態様に係る箱体は、上記態様に係る昇降扉と、前記昇降扉とともに内部空間を画成するとともに、前記昇降扉のスライド昇降によって開閉可能な開口部を有する箱部と、を備えている。
この構成によれば、上記態様に係る昇降扉を備えているため、重さ調整可能が簡単で、スムーズかつ正確な昇降操作が可能な箱体を提供できる。
【００１６】
本発明の一態様に係る箱体において、前記メイン錘は、前記箱部を構成する支柱の内部、及び周壁部の内部の何れかに収納されていてもよい。
この構成によれば、メイン錘が外部から視認不能になるので、箱体の意匠性を向上させることができる。特に、上記態様に係る昇降扉を備えているため、支柱の内部や周壁部の内部に収納されたメイン錘にアクセスすることなく、重さ調整作業を行うことができる。
【００１７】
本発明の一態様に係る局所排気装置は、上記態様に係る箱体を備えている。
この構成によれば、重さ調整可能が簡単で、スムーズかつ正確な昇降操作が可能な局所排気装置を提供できる。
【発明の効果】
【００１８】
本発明の一態様によれば、重さ調整作業の効率化を図り、スムーズかつ正確な昇降操作が可能になる。
【図面の簡単な説明】
【００１９】
【図１】卓上フード付き作業台を左前方から見た斜視図である。
【図２】図１のＩＩ−ＩＩ線に沿う断面図である。
【図３】第１支柱の上端部を示す分解斜視図である。
【図４】図１のＩＶ−ＩＶ線に沿う断面図である。
【図５】昇降扉の上部を示す分解斜視図である。
【図６】重さ調整機構を左後方から見た分解斜視図である。
【図７】端部部材及び調整錘を右側から見た分解斜視図である。
【図８】昇降扉が最上端位置にある状態の卓上フード付き作業台を、左前方から見た斜視図である。
【発明を実施するための形態】
【００２０】
次に、本発明の実施形態を図面に基づいて説明する。なお、以下の説明において、卓上フード付き作業台１が設置された床面（不図示）の法線方向を上下方向（矢印ＵＰが上方）とし、上下方向に直交する方向をそれぞれ前後方向（矢印ＦＲが前方）及び左右方向（矢印ＬＨが左側）とする。
【００２１】
［卓上フード付き作業台］
図１は、卓上フード付き作業台１を左前方から見た斜視図である。
図１に示す卓上フード付き作業台１は、実験施設に設置される。卓上フード付き作業台１は、作業空間Ｓ１内の気体を卓上フード付き作業台１の外部に流出させないように行う理化学実験に好適に用いられる。具体的に、卓上フード付き作業台１は、作業台２と、作業台２の天板３に設けられた卓上フード（局所排気装置、箱体）４と、を備えている。
【００２２】
＜卓上フード＞
卓上フード４は、下方に向けて開口する箱型に形成されている。卓上フード４は、天板３上に組み付られることで、天板３とともに作業空間Ｓ１を画成する。なお、卓上フード４は、作業台２に対して着脱可能に組み付けられる構成であっても、作業台２と一体形成されていてもよい。作業台２と卓上フード４とを一体に形成した、いわゆるヒュームフード（局所排気装置）を採用することで、作業台２と卓上フード４との間のシール性を確保し易くなる。
【００２３】
卓上フード４は、前方に開口する開口部１１を有する箱部１２と、開口部１１を開閉する昇降扉１３を有する開閉機構１５と、を備えている。
【００２４】
＜箱部＞
箱部１２のうち、後壁部２１、側壁部２２，２３及び上壁部２４は、例えば枠材にパネルが組み付けられた構成である。本実施形態において、後壁部２１のパネルには、金属材料（例えば、ステンレス）等が用いられている。
一方、側壁部２２，２３及び上壁部２４のパネルには、光透過性を有する材料（例えば、ガラス（強化ガラス）やアクリル樹脂等）が用いられている。
【００２５】
すなわち、本実施形態の箱部１２は、側壁部２２，２３及び上壁部２４のパネルを通じて作業空間Ｓ１を視認可能に構成されている。なお、各壁部２２〜２４の構成は、適宜変更が可能である。例えば、各壁部２２〜２４全てを通じて作業空間Ｓ１を視認可能としたり、視認不能としたりしてもよい。各壁部２２〜２４それぞれにおいて、一部のみを視認可能とする構成でもよい。
【００２６】
上述した上壁部２４には、作業空間Ｓ１内の気体を排出する排出装置２５が設けられている。なお、排出装置２５の設置位置は、適宜変更が可能である。
【００２７】
箱部１２の前壁部３１は、天板３から上方に立設されるとともに、各側壁部２２，２３及び上壁部２４の前端面に接続されている。具体的に、前壁部３１は、一対の支柱（第１支柱３２及び第２支柱３３）と、支柱３２，３３同士の間を架け渡す上梁部３５及び中間梁部３６と、各支柱３２，３３及び各梁部３５，３６で画成された部分に嵌め込まれた前側パネル３７と、を主に有している。
【００２８】
支柱３２，３３は、天板３の角部のうち、前側かつ左右方向の両側に位置する角部からそれぞれ上方に立設されている。なお、各支柱３２，３３は、左右対称の部材である。そのため、以下では、第１支柱３２について主に説明し、第２支柱３３の説明を適宜省略する。
【００２９】
図２は、図１のＩＩ−ＩＩ線に沿う断面図である。
図２に示すように、第１支柱３２は、前後方向に組み合わされた後支柱部４１及び前支柱部４２と、後支柱部４１及び前支柱部４２の上端部に装着された支柱キャップ４３（図３参照）と、を備えている。
【００３０】
後支柱部４１は、例えば押出成形等によって上下方向に延びる角筒状に形成されている。具体的に、後支柱部４１は、筒部４５と、筒部４５から前方に延びる区画壁４６と、を主に備えている。
【００３１】
筒部４５の後壁部４５ａは、側壁部２２の前端面に組み付けられている。
区画壁４６は、筒部４５の前壁部４５ｂにおいて、左右方向の中央部に連設されている。区画壁４６は、左右方向の内側（卓上フード４における左右方向の中心に向かう方向）に屈曲しながら、前方に延在している。筒部４５の後壁部４５ａと区画壁４６とで画成された空間は、左右方向の内側に向けて開放されたガイド空間Ｓ２を構成している。
【００３２】
図３は、第１支柱３２の上端部を示す分解斜視図である。
図３に示すように、筒部４５において、前壁部４５ｂの上端部には、切欠き部４７が形成されている。切欠き部４７は、前壁部４５ｂを前後方向に貫通するとともに、前壁部４５ｂの上端縁で開放されている。すなわち、筒部４５内とガイド空間Ｓ２とは、切欠き部４７を通して連通している。
【００３３】
図２に示すように、前支柱部４２は、上下方向から見た平面視で後方に向けて開口するＣ字状に形成されている。前支柱部４２は、後支柱部４１の前壁部４５ｂを前方から覆うように後支柱部４１に組み付けられている。前支柱部４２及び後支柱部４１において、左右方向の外側を向く面同士は、面一に配置されている。一方、前支柱部４２における左右方向の内側に位置する内壁部４２ａは、筒部４５における左右方向の内側に位置する内壁部４５ｃに対して前後方向に隙間Ｓ３をあけて対向している。上述したガイド空間Ｓ２は、隙間Ｓ３を通して左右方向の内側に開口している。なお、前支柱部４２と後支柱部４１の前壁部４５ｂとで画成された空間は、例えば配線等の配索スペースとして利用できる。
【００３４】
図３に示すように、支柱キャップ４３は、例えば樹脂材料等によって形成されている。支柱キャップ４３は、天板部５１と、天板部５１から下方に突出する複数の突出部（例えば、第１突出部５２及び第２突出部５３）と、を備えている。
【００３５】
天板部５１は、平面視において、第１支柱３２の外形と同等の形状に形成されている。天板部５１は、支柱キャップ４３が第１支柱３２に装着された状態において、第１支柱３２の上端開口部を上方から閉塞している。天板部５１には、平面視で上述した隙間Ｓ３と重なる部分に、凹部５５が形成されている。凹部５５は、天板部５１を上下方向に貫通するとともに、天板部５１の外周縁において左右方向の内側に向けて開口している。したがって、凹部５５内は、上述した隙間Ｓ３に連通している。なお、天板部５１は、隙間Ｓ３を含む第１支柱３２の上端開口部全体を閉塞していてもよい。
【００３６】
第１突出部５２は、天板部５１の後部から下方に突出している。第１突出部５２は、上述した筒部４５内に嵌合されている。
第２突出部５３は、天板部５１の前部（第１突出部５２に対して前方に離間した位置）から下方に突出している。第２突出部５３は、第１支柱３２における前支柱部４２と後支柱部４１の前壁部４５ｂとで画成された部分に嵌合されている。なお、支柱キャップ４３と第１支柱３２との装着方法は、適宜変更が可能である。例えば、各突出部５２，５３は、第１支柱３２に対して爪等によって係止される構成であってもよい。
【００３７】
図１に示すように、各梁部３５，３６は、上下方向に離間した状態で、左右方向に沿って互いに平行に延在している。上梁部３５は、支柱３２，３３（後支柱部４１）の上端部同士を架け渡している。中間梁部３６は、支柱３２，３３（後支柱部４１）における上下方向の中間部同士を架け渡している。
【００３８】
前側パネル３７は、光透過性を有する材料により形成されている。前側パネル３７は、各支柱３２，３３及び各梁部３５，３６で画成された枠部分に嵌め込まれている。本実施形態において、箱部１２の各壁部２１〜２４，３１により囲まれた空間は、上述した作業空間Ｓ１を構成している。作業空間Ｓ１は、各支柱３２，３３、中間梁部３６及び天板３で囲まれた開口部１１を通じて卓上フード４の外部に連通している。
【００３９】
＜開閉機構＞
図４は、図１のＩＶ−ＩＶ線に沿う断面図である。
図４に示すように、開閉機構１５は、線材支持ユニット６１と、吊架線材６２と、メイン錘６３と、上述した昇降扉１３と、を備えている。
【００４０】
図３に示すように、線材支持ユニット６１は、定滑車である。線材支持ユニット６１は、例えば各支柱３２，３３内においてブラケット（不図示）を介して取り付けられている。具体的に、線材支持ユニット６１は、支持プレート７１と、線材支持部材７３と、を備えている。
支持プレート７１は、上述したブラケットから下方に延設されている。支持プレート７１は、後支柱部４１の筒部４５内に上方から進入している。
線材支持部材７３は、左右方向に延びる軸線回りに回転可能に、支持プレート７１に支持されている。
【００４１】
図４に示すように、吊架線材６２は、例えばステンレス製のワイヤロープである。吊架線材６２は、線材支持部材７３に上方から掛け回されている。すなわち、吊架線材６２は、延在方向の中途部分が線材支持部材７３で折り返されることで、第１端部及び第２端部が下方に垂れ下がった状態で線材支持部材７３に掛け回されている。吊架線材６２の第１端部は、後支柱部４１の筒部４５内に配置されている。一方、吊架線材６２の第２端部は、後支柱部４１の切欠き部４７（図３参照）を通して上述したガイド空間Ｓ２に進入している。
【００４２】
メイン錘６３は、後支柱部４１の筒部４５内において、吊架線材６２の第１端部に接続されている。メイン錘６３は、昇降扉１３と釣り合うように重さが設定されていることが好ましい。メイン錘６３は、線材支持部材７３に沿った吊架線材６２の走行により筒部４５内を上下昇降可能に構成されている。なお、メイン錘６３と筒部４５との間には、メイン錘６３の上下動を案内するガイド部材等が設けられていてもよい。
【００４３】
＜昇降扉＞
図１に示すように、昇降扉１３は、上述した前側パネル３７よりも前方において、各支柱３２，３３間を架け渡している。昇降扉１３は、各支柱３２，３３にスライド昇降可能に支持されている。昇降扉１３は、スライド昇降に伴い、開口部１１を開閉する。具体的に、昇降扉１３は、扉本体８１と、扉本体８１の下端部に取り付けられた下部カバー８２と、扉本体８１の上端部に取り付けられた重さ調整機構８３と、を有している。
【００４４】
扉本体８１は、光透過性を有する材料により板状に形成されている。扉本体８１の左側端部は、第１支柱３２の隙間Ｓ３内に配置されている（図２等参照）。扉本体８１の右側端部は、第２支柱３３の隙間Ｓ３内に配置されている。なお、扉本体８１は、光不透過性の材料（例えば、金属材料や樹脂材料等）により形成してもよい。
【００４５】
下部カバー８２は、左右方向に延在する長尺部材である。下部カバー８２は、板金加工等によって上下方向に沿う縦断面視で上方に開口するＵ字状に形成されている。下部カバー８２は、扉本体８１の下端部を下方及び前後両側から取り囲むように、扉本体８１に装着されている。下部カバー８２の下端面は、昇降扉１３の閉位置において、天板３に上方から当接する当接面として機能する。
下部カバー８２には、前方に向けて突出する把持部８５が形成されている。把持部８５は、下部カバー８２において、左右方向の全体に亘って形成されている。但し、把持部８５は、下部カバー８２における左右方向の少なくとも一部に形成されていればよい。
【００４６】
図４に示すように、下部カバー８２における左右方向の両端部は、接続部材８７を介して各支柱３２，３３内に配置された吊架線材６２の第２端部にそれぞれ接続されている。接続部材８７は、上述したガイド空間Ｓ２内において、吊架線材６２の第２端部に接続されている。接続部材８７は、隙間Ｓ３（図２参照）を通して下部カバー８２に連結されている。図３に示すように、昇降扉１３は、線材支持部材７３に沿った吊架線材６２の走行により接続部材８７がガイド空間Ｓ２を上下昇降することで、支柱３２，３３に沿ってスライド昇降する。すなわち、各支柱３２，３３（前支柱部４２、区画壁４６及び前壁部４５ｂ）は、昇降扉１３をスライド昇降可能に支持するガイドレールとして機能する。なお、接続部材８７は、例えばガイドローラ等によって支柱３２，３３に上下昇降可能に支持されている。支柱３２，３３とは別にガイドレールを設けても構わない。
【００４７】
＜重さ調整機構＞
図５は、昇降扉１３の上部を示す分解斜視図である。
図５に示すように、重さ調整機構８３は、上部カバー１００及びエンドキャップ１０１を有するカバーユニット１０２と、調整錘１０３と、を主に備えている。
カバーユニット１０２は、左右方向の長さが扉本体８１に比べて短くなっている。カバーユニット１０２は、扉本体８１の両端部（隙間Ｓ３内に位置する部分）を露出させた状態で、扉本体８１に装着されている。すなわち、カバーユニット１０２は、昇降扉１３の閉位置において支柱３２，３３に対して左右方向の内側に配置されている。
【００４８】
上部カバー１００は、左右方向に延在するとともに、左右方向の外側に向けて開口する長尺部材である。上部カバー１００は、扉本体８１の上端部に装着されている。具体的に、上部カバー１００は、上部カバー１００の外装部分を構成する外装部１１０と、扉本体８１に突き当たる突当部１１１〜１１３（図５，６参照）と、エンドキャップ１０１を取り付けるための取付台座１１４と、を有している。
外装部１１０は、上下方向に沿う縦断面視で下方を向くＵ字状に形成されている。外装部１１０は、扉本体８１を上方及び前後両側から取り囲むように、扉本体８１に装着されている。
【００４９】
図６は、重さ調整機構８３を左後方から見た分解斜視図である。
図５、図６に示すように、突当部１１１〜１１３は、外装部１１０から扉本体８１に向けて突出している。例えば、突当部１１１〜１１３は、外装部１１０の下端開口縁のうち、前側端縁から後方に突出する前突当部１１１、後側端縁から前方に突出する後突当部１１２、及び外装部１１０の頂壁部から下方に突出する上突当部１１３である。前突当部１１１は、扉本体８１の前面に突き当たっている。後突当部１１２は、扉本体８１の後面に突き当たっている。上突当部１１３は、扉本体８１の上端面に突き当たっている。これにより、外装部１１０の内面と扉本体８１との間には、隙間が設けられている。なお、突当部のレイアウトや数等は、適宜変更が可能である。
【００５０】
取付台座１１４は、外装部１１０における左右方向の両端開口縁から外装部１１０の内側に向けて突設されている。本実施形態において、取付台座１１４は、外装部１１０のうち、扉本体８１を間に挟んで前後両側に配置されている。但し、取付台座１１４のレイアウトや数等は、適宜変更が可能である。
【００５１】
エンドキャップ１０１は、上部カバー１００における左右方向の両端部に着脱可能に装着されている。なお、各エンドキャップ１０１は、左右対称の部材である。そのため、以下の説明では、上部カバー１００の左側端部に装着されるエンドキャップ１０１について説明し、上部カバー１００の右側端部に装着されるエンドキャップ１０１の説明を省略する。
【００５２】
図５、図６に示すように、エンドキャップ１０１は、閉塞部１２０と、ボス部１２１と、錘保持部１２２と、を主に有している。
【００５３】
閉塞部１２０は、左右方向から見た側面視外形が、上部カバー１００の左側開口縁に倣った形状に形成されている。閉塞部１２０における前後方向の中央部分には、スリット１２５が形成されている。スリット１２５は、閉塞部１２０を左右方向に貫通するとともに、閉塞部１２０の下端面で開口している。スリット１２５内には、エンドキャップ１０１が上部カバー１００に装着された状態において、扉本体８１の上端部が嵌合される。なお、スリット１２５の内面と扉本体８１との間には、隙間があってもよい。
【００５４】
閉塞部１２０は、ビス等によって上部カバー１００の上述した取付台座１１４に固定される。これにより、エンドキャップ１０１は、上部カバー１００の左側開口部を閉塞した状態で、扉本体８１及び上部カバー１００に装着される。なお、エンドキャップ１０１は、圧入（ボス部１２１の圧入）や爪等による係止によって上部カバー１００に装着されていてもよい。
【００５５】
ボス部１２１は、閉塞部１２０のうち、スリット１２５よりも前方に位置する部分から左右方向の内側（右側）に向けて突出している。ボス部１２１は、外装部１１０の内側において、外装部１１０の内面と扉本体８１の前面とで画成された部分に進入している。
【００５６】
図７は、エンドキャップ１０１及び調整錘１０３を右側から見た分解斜視図である。
図７に示すように、錘保持部１２２は、例えば左右方向に延びる角筒状に形成されている。錘保持部１２２は、閉塞部１２０のうち、スリット１２５よりも後方に位置する部分から左右方向の内側に向けて突出している。錘保持部１２２は、外装部１１０の内側において、外装部１１０の内面と扉本体８１の後面とで画成された部分に進入している。錘保持部１２２には、錘保持部１２２を前後方向に貫通する貫通孔１２７が形成されている。錘保持部１２２の内面には、左右方向に延びるリブ１２９が形成されている。なお、錘保持部１２２は、調整錘１０３を保持できる構成であれば、筒状に限られない。
【００５７】
図６、図７に示すように、上述した錘保持部１２２には、調整錘１０３が付け替え可能に保持されている。調整錘１０３は、例えば板状に形成されている。調整錘１０３には、調整錘１０３を前後方向に貫通する雌ねじ孔１３１が形成されている。調整錘１０３は、左右方向の内側から錘保持部１２２内に差し込まれる。調整錘１０３は、錘保持部１２２の貫通孔１２７を通して調整錘１０３の雌ねじ孔１３１にビス１３２が螺着されることで、錘保持部１２２に固定されている。
【００５８】
なお、本実施形態では、ビス１３２を調整錘１０３に螺着する構成について説明するが、この構成のみに限られない。例えば、ビス１３２を錘保持部１２２に螺着し、ビス１３２の先端面と錘保持部１２２におけるビス１３２との対向面との間で調整錘１０３を挟持する構成であってもよい。調整錘１０３は、錘保持部１２２への圧入や爪等による係止によって固定してもよい。このように、錘保持部１２２への調整錘１０３の固定方法は、適宜変更が可能である。
【００５９】
調整錘１０３のうち、錘保持部１２２よりも左右方向の内側に突出した部分は、錘保持部１２２とともに、外装部１１０の内側に進入している。すなわち、外装部１１０の内面と扉本体８１の後面とで画成された部分は、左右方向の外側に向けて開口するとともに、調整錘１０３及び錘保持部１２２を収容する錘収容部１３３を構成している。調整錘１０３は、錘収容部１３３内に収容された状態において、カバーユニット１０２に周囲が覆われることで、視認不能になっている。なお、調整錘１０３は、上部カバー１００内で上部カバー１００に固定される構成でもよい。
【００６０】
上述した錘保持部１２２には、重さの異なる複数の調整錘１０３の中から一の調整錘１０３が選択して取り付けられる。各調整錘１０３は、例えば左右方向の長さを異ならせることで、重さを異ならせている。なお、重さ調整機構８３による重さ調整方法については、後に詳述する。
【００６１】
本実施形態の卓上フード付き作業台１を使用して実験を行う場合は、まず把持部８５を把持して昇降扉１３を所定量上昇させ、開口部１１の一部を開放させる。その後、開口部１１を通じて作業空間Ｓ１に手を差し入れることで、作業空間Ｓ１での実験が可能になる。この際、作業空間Ｓ１内の気体が排出装置２５を通じて排出されるとともに、開口部１１を通じて作業空間Ｓ１に空気が供給される。これにより、作業空間Ｓ１内の気体が卓上フード付き作業台１の外部（研究施設内）への流出を抑制した上で、実験を行うことができる。
【００６２】
図８は、昇降扉１３が最上端位置にある状態を示す卓上フード付き作業台１を左前方から見た斜視図である。
図８に示すように、本実施形態の昇降扉１３は、最上端位置において、扉本体８１の上端部が支柱キャップ４３の凹部５５（図３参照）を通して支柱３２，３３よりも上方に突出している。したがって、カバーユニット１０２は、昇降扉１３の少なくとも最上端位置にあるとき、支柱３２，３３よりも上方に位置している。
【００６３】
次に、上述した卓上フード付き作業台１の作用として、開閉機構１５の重さ調整方法について説明する。以下の説明では、卓上フード付き作業台１の施工時において、扉本体８１を箱部１２に組み付けた後、扉本体８１に重さ調整機構８３を取り付ける工程から説明する。
まず、下部カバー８２を把持して、昇降扉１３（扉本体８１）を最上端位置に上昇させる。その後、扉本体８１の上端部に上部カバー１００を装着する。
【００６４】
続いて、図７に示すように、エンドキャップ１０１に調整錘１０３を装着する（重さ調整工程）。重さ調整工程では、昇降扉１３自体の重さとメイン錘６３の重さとが釣り合うように（略平衡になるように）、重さの異なる複数の調整錘１０３の中から最適な調整錘１０３を選択する。そして、選択した調整錘１０３をエンドキャップ１０１の錘保持部１２２内に差し込み、ビス１３２によって調整錘１０３を錘保持部１２２に固定する。
【００６５】
なお、重さ調整工程では、基準重さとなる調整錘１０３が予めエンドキャップ１０１に装着された状態で、昇降扉１３及びメイン錘６３の重さに応じて基準重さの調整錘１０３に対して軽い若しくは重い調整錘１０３を付け替えるようにしてもよい。重さ調整工程において、調整錘１０３が未装着の状態で昇降扉１３及びメイン錘６３の釣り合いが取れている場合は、調整錘１０３を装着しなくてもよい。
【００６６】
次に、図６、図７に示すように、エンドキャップ１０１を上部カバー１００に装着する（エンドキャップ装着工程）。具体的には、調整錘１０３を左右方向の内側を向けた状態で、エンドキャップ１０１の閉塞部１２０が上部カバー１００の左右方向の外側開口縁に突き当たる位置まで、エンドキャップ１０１を上部カバー１００に対して左右方向の内側に接近移動させる。すると、調整錘１０３が錘収容部１３３内に進入するとともに、ボス部１２１が上部カバー１００の内側に進入する。その後、閉塞部１２０と取付台座１１４とをビス等で固定する。これにより、重さ調整機構８３が扉本体８１に取り付けられる。
【００６７】
なお、例えば卓上フード付き作業台１の施工後のメンテナンス時においても、上述した重さ調整方法と同様の方法により、昇降扉１３及びメイン錘６３のバランス調整を行うことができる。すなわち、昇降扉１３を最上端位置に上昇させた後、エンドキャップ１０１を上部カバー１００から取り外す。続いて、エンドキャップ１０１に取り付けられた調整錘１０３を取り外し、重さの異なる調整錘１０３に付け替える。そして、エンドキャップ１０１を再び上部カバー１００に装着する。
【００６８】
このように、本実施形態では、扉本体８１に取り付けられ、昇降扉１３自体の重さを調整可能な重さ調整機構８３を備える構成とした。
この構成によれば、重さ調整機構８３の重さを調整することで、例えば昇降扉１３とメイン錘６３とが釣り合うように、昇降扉１３自体の重さを調整できる。この際、昇降扉１３の重さ調整機構８３において重さ調整を行うことで、例えばメイン錘の重さを調整する場合のように、支柱に設けられた線材支持部材やエンドキャップ等を取り外す必要がない。また、昇降扉１３はメイン錘よりも前方に配置されるのが一般的であるため、メイン錘の重さを調整する場合に比べて重さ調整機構８３へのアクセスが容易になる。
これにより、重さ調整作業の効率化を図ることができる。その結果、例えば扉本体８１の重量ばらつきに関わらず、昇降扉１３とメイン錘６３とのバランスを取ることができ、昇降扉１３のスムーズかつ正確な昇降操作が可能になる。
【００６９】
本実施形態では、重さ調整機構８３が調整錘１０３を収容可能な錘収容部１３３を備えている構成とした。
この構成によれば、例えば重さの異なる調整錘１０３の中から最適な調整錘１０３を選択して、錘収容部１３３に収容することで、昇降扉１３の重さ調整を行うことができる。これにより、重さ調整作業の更なる効率化を図ることができる。
【００７０】
本実施形態では、扉本体８１の上端部に装着された上部カバー１００に錘収容部１３３が形成されている構成とした。
この構成によれば、上部カバー１００によって調整錘１０３を覆うことができるので、昇降扉１３の意匠性を向上させることができる。
しかも、扉本体８１の上方から上部カバー１００を装着することで、上部カバー１００が扉本体８１に下方から支持されることになる。これにより、昇降扉１３の昇降動作に伴う上部カバー１００及び調整錘１０３の脱落を抑制できる。
【００７１】
本実施形態では、錘収容部１３３が上部カバー１００において左右方向の外側に向けて開口している構成とした。
この構成によれば、錘収容部１３３が例えば上部カバー１００の前部で開口している構成と異なり、昇降扉１３を前方から見たときに錘収容部１３３の開口部が視認不能になる。そのため、意匠性を向上させることができる。
【００７２】
本実施形態では、上部カバー１００に装着されるエンドキャップ１０１に、調整錘１０３が着脱可能に取り付けられる構成とした。
この構成によれば、エンドキャップ１０１に調整錘１０３を取り付けた状態で、エンドキャップ１０１を上部カバー１００に装着することができる。そのため、例えば上部カバー１００に対して調整錘１０３及びエンドキャップ１０１を別々に装着する場合に比べて調整錘１０３の装着作業が容易になる。
【００７３】
本実施形態では、昇降扉１３が少なくとも最上端位置にあるとき、重さ調整機構８３が支柱３２，３３よりも上方に突出する構成とした。
この構成によれば、昇降扉１３を最上端位置に上昇させることで、重さ調整作業を行うことができる。これにより、重さ調整作業を行うにあたって調整錘１０３の周辺部材（例えば、線材支持ユニット６１や支柱キャップ４３等）を取り外す等の作業が必要ないので、重さ調整作業の効率化を図ることができる。
【００７４】
本実施形態では、卓上フード付き作業台１（卓上フード４）が上述した昇降扉１３を備えているため、重さ調整可能が簡単で、スムーズかつ正確な昇降操作が可能な卓上フード付き作業台１（卓上フード４）を提供できる。
【００７５】
本実施形態では、メイン錘６３が支柱３２，３３の内部に収納されている構成とした。
この構成によれば、メイン錘６３が外部から視認不能になるので、卓上フード４の意匠性を向上させることができる。特に、本実施形態では、上述した昇降扉１３を備えているため、支柱３２，３３内に収納されたメイン錘６３にアクセスすることなく、重さ調整作業を行うことができる。
【００７６】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、本発明に係る昇降扉１３を卓上フード付き作業台１に採用する構成について説明したが、この構成のみに限られない。例えば、卓上フード付き作業台１以外の什器（例えば、キャビネット等）の扉や、エレベータの上下開閉式ドア、冷凍室や冷蔵庫等に設けられるスライド昇降式の防熱扉等に本発明に係る昇降扉を採用することが可能である。
【００７７】
上述した実施形態では、箱部１２の前壁部３１に昇降扉１３（開閉機構１５）を設ける構成について説明したが、この構成のみに限られない。箱部１２の各周壁部（後壁部２１や側壁部２２，２３等）のうち、少なくとも一の壁部に昇降扉１３を設けることが可能である。
上述した実施形態では、支柱３２，３３内にメイン錘６３を収納する構成について説明したが、この構成のみに限られない。箱部１２を構成する各周壁部（後壁部２１や側壁部２２，２３等）の内部にメイン錘６３を収納してもよい。但し、本実施形態のようにメイン錘６３を支柱３２，３３内に収納することで、前壁部３１以外の周壁部に昇降扉１３を設けたり、各壁部に光透過性を有するパネルを用いたりすることができる点で優位性がある。
【００７８】
上述した実施形態では、扉本体８１の重量ばらつきに対して調整錘１０３を付け替える構成について説明したが、この構成のみに限られない。例えば、サイズ（重さ）が異なる扉本体８１に対して同じメイン錘６３を用いる場合に、調整錘１０３の重さを調整することで、昇降扉１３とメイン錘６３との釣り合いを取ることも可能である。
【００７９】
上述した実施形態では、重さの異なる調整錘１０３を付け替える構成について説明したが、この構成のみに限らず、扉本体８１に取り付ける調整錘の個数等を変更して重さ調整作業を行ってもよい。
上述した実施形態では、エンドキャップ１０１に調整錘１０３を装着する構成について説明したが、この構成のみに限らず、上部カバー１００自体に調整錘１０３を装着する構成であってもよい。この場合には、エンドキャップ１０１を有さない構成でもよい。また、調整錘１０３は、上部カバー１００に限らず、扉本体８１の任意の位置に装着してもよい。この場合、扉本体８１に調整錘１０３を直接取り付けたり、扉本体８１に錘収容部を形成したりしてもよい。
【００８０】
上述した実施形態では、調整錘１０３によって重さ調整を行う構成について説明したが、この構成のみに限られない。例えば、扉本体８１に取り付けられる付属部品（例えば、下部カバー８２や上部カバー１００等）を、重さを異ならせて複数組準備してもよい。すなわち、昇降扉１３及びメイン錘６３の重さに応じて重さの異なる付属部品から最適な付属部品を選択して、扉本体８１に取り付けることで、昇降扉１３及びメイン錘６３の釣り合いを取ることができる。この場合には、上述した付属部品が重さ調整機構に相当する。
【００８１】
上述した実施形態では、重さ調整工程において、昇降扉１３とメイン錘６３との釣り合いを取る構成について説明したが、この構成のみに限らず、昇降扉１３とメイン錘６３との間で所定の重量差ができるように調整してもよい。
上述した実施形態では、カバーユニット１０２の左右方向における両端部に調整錘１０３を装着する構成について説明したが、この構成のみに限らず、カバーユニット１０２の左右方向における少なくとも第１端部のみに調整錘１０３を装着する構成でもよい。
【００８２】
上述した実施形態では、吊架線材６２としてワイヤロープを用いた場合について説明したが、この構成のみに限られない。吊架線材６２は、ベルトや歯付ベルトであってもよく、ローラチェーンに代表されるチェーン等であってもよい。
上述した実施形態では、線材支持部材７３として滑車を用いた場合について説明したが、この構成のみに限られない。線材支持部材７３は、プーリやスプロケット等であってもよい。プーリは、吊架線材６２がワイヤやベルト、歯付ベルト等の場合に好適に用いられる。スプロケットは、吊架線材６２がローラチェーン等の場合に好適に用いられる。
【００８３】
上述した実施形態では、扉本体８１の下端部に下部カバー８２が装着され、上端部に上部カバー１００が装着されて昇降扉１３を構成している場合について説明したが、この構成のみに限られない。例えば、昇降扉１３が、扉本体８１と、扉本体８１の外周部分を取り囲む枠体と、を有する構成であってもよい。この場合、枠体のうち、扉本体８１の上端部を覆う上枠部分を、上述した実施形態の上部カバーとして機能させてもよい。枠体のうち、扉本体８１の下端部を覆う下枠部分を、上述した実施形態の下部カバーとして機能させてもよい。
上述した実施形態では、扉本体８１自体が隙間Ｓ３内に配置される構成について説明したが、この構成のみに限られない。昇降扉１３の少なくとも一部（例えば、枠体等）が隙間Ｓ３内に配置される構成でもよい。
【００８４】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８５】
１…卓上フード付き作業台
４…卓上フード（局所排気装置、箱体）
１１…開口部
１２…箱部
１３…昇降扉
２１…後壁部（周壁部）
２２…側壁部（周壁部）
２３…側壁部（周壁部）
３１…前壁部（周壁部）
３２…第１支柱（支柱、ガイドレール）
３３…第２支柱（支柱、ガイドレール）
６２…吊架線材
６３…メイン錘
７３…線材支持部材
８１…扉本体
８３…重さ調整機構
１００…上部カバー
１０１…エンドキャップ（端部部材）
１０３…調整錘
１３３…錘収容部
Ｓ１…作業空間（内部空間）
【図１】
2019042687.tif 000003
【図２】
2019042687.tif 000004
【図３】
2019042687.tif 000005
【図４】
2019042687.tif 000006
【図５】
2019042687.tif 000007
【図６】
2019042687.tif 000008
【図７】
2019042687.tif 000009
【図８】
2019042687.tif 000010